(57)【要約】【課題】本発明は、情報記録媒体にとって好ましい状態で保管でき、かつこの情報記録媒体をこれと関連する書籍とともに装丁できるディスクケースを提供する。【解決手段】ディスクケース１０は、ディスクトレイ１と保持爪１２と台紙２と切欠部２１と固定部１３と固定片１４とを備える。ディスクトレイ１は、ディスク２００が収まる収納部１１を有している。トレイ縁部１６に複数設けられた保持爪１２は、収納部１１に収まったディスク２００の縁２０２と遊嵌する。台紙２は、ディスクトレイ１の外周部１ａに遊嵌する凹部２２を有している。切欠部２１は、ディスクトレイ１の中央から対称な位置の台紙２に一対形成される。固定部１３は、トレイ縁部１６から切欠部２１に向かって延びる。固定片１４は、固定部１３から突出して切欠部２１の内周面２１ａに係合し、ディスクトレイ１が凹部２２から外れることを阻止する。【選択図】      図２
2006069600.tif 000002
【特許請求の範囲】
【請求項１】
ディスク形状の情報記録媒体が収まる収納部を有した盆形のディスクトレイと、
前記ディスクトレイのトレイ縁部から中央に向かって突出し、前記収納部に収まった前記情報記録媒体の縁と遊嵌するとともにこの遊嵌状態が解除される位置まで前記情報記録媒体の半径方向に基部が変位する可撓性を有した複数の保持爪と、
前記ディスクトレイの外周部に遊嵌する凹部を有した台紙と、
前記収納部に収まった前記情報記録媒体の縁に指を掛けるべく前記トレイ縁部から外側へ前記ディスクトレイの中央から対称な位置の前記台紙に部分的に形成される一対の切欠部と、
前記トレイ縁部から前記切欠部に向かって延びる固定部と、
前記固定部から突出して前記切欠部の内周面に係合し前記凹部から前記台紙の板厚方向への前記ディスクトレイの浮き上がりを阻止する固定片と
を備えることを特徴とするディスクケース。
【請求項２】
前記切欠部にそれぞれ装着されて前記収納部に収まった前記情報記録媒体の縁の少なくとも一部を覆う取出し防止部材を備えることを特徴とする請求項１に記載のディスクケース。
【請求項３】
前記取出し防止部材は、
前記固定部と取外し可能に嵌合する枠部と、
前記枠部の開口部を遮る封止板と、
前記収納部に収まった情報記録媒体に沿って前記枠部から延出し前記情報記録媒体が前記収納部から持ち上がる取出方向の動きを阻止する係止片と、
を備えることを特徴とする請求項２に記載のディスクケース。
【請求項４】
前記取出し防止部材を取除く開封操作中に摘まれる摘み部を前記取出し防止部材の一部に備えることを特徴とする請求項２に記載のディスクケース。
【請求項５】
前記封止板は、２か所の傾転部で前記枠部の内周面に支持されることを特徴とする請求項３に記載のディスクケース。
【請求項６】
前記封止板の外周は、前記傾転部以外の少なくとも１か所の封印部で前記枠部と連結されており、開封操作によって前記封印部が破断されることを特徴とする請求項５に記載のディスクケース。
【請求項７】
前記傾転部を結ぶ揺動軸線を境に前記封止板の一方に、前記取出し防止部材を取除く開封操作中に摘まれる摘み部を設け、この摘み部は、前記封止板の他方を前記台紙の板厚方向へ押し込むことで前記枠部から突出することを特徴とする請求項６に記載のディスクケース。
【請求項８】
前記封止板は、前記摘み部から前記揺動軸線に近づくにつれて板厚が徐々に薄く形成されていることを特徴とする請求項７に記載のディスクケース。
【請求項９】
それぞれの前記切欠部に装着されて前記固定部と取外し可能に嵌合する一対の枠部と、
前記枠部の開口部を遮る封止板と、
前記枠部を連結して前記収納部に前記情報記録媒体が収まった状態で前記収納部全体を覆う密閉プレートと、
を有する取出し防止部材を備えることを特徴とする請求項１に記載のディスクケース。
【請求項１０】
前記保持爪は、前記切欠部の近傍のそれぞれ両側に少なくとも１つずつ設けられることを特徴とする請求項１に記載のディスクケース。
【請求項１１】
前記情報記録媒体は、中央部にセンターホールを有し、このセンターホールを塞ぐ封孔片が装着された状態で、前記収納部に納められることを特徴とする請求項１に記載のディスクケース。
【請求項１２】
前記ディスクトレイは、前記情報記録媒体の記録部を収納部から浮かせた状態に支持する段差部を前記トレイ縁部に沿って有することを特徴とする請求項１に記載のディスクケース。
【請求項１３】
前記ディスクトレイは、透明な合成樹脂で形成され、
前記凹部は、前記ディスクトレイの外径よりも小さく前記台紙を板厚方向に貫通する窓を底に備えることを特徴とする請求項１に記載のディスクケース。
【請求項１４】
前記固定部は、前記切欠部の内周面に沿って形成され、
前記固定片は、前記固定部の外周に少なくとも１つ設けられることを特徴とする請求項１に記載のディスクケース。
【請求項１５】
前記固定部の内側に取外し可能に嵌合して前記切欠部を覆うとともに前記収納部に収まった前記情報記録媒体の縁の少なくとも一部を覆う取出し防止部材を備えることを特徴とする請求項１４に記載のディスクケース。
【請求項１６】
ディスク形状の情報記録媒体を収納する少なくとも１つのディスクケースと、このディスクケースに収められる情報記録媒体に記録された情報と関連する内容が記載された書籍部とが一体に装丁され、
前記ディスクケースは、
前記情報記録媒体が収まる収納部を有した盆形のディスクトレイと、
前記ディスクトレイのトレイ縁部から中央に向かって突出し、前記収納部に収まった前記情報記録媒体の縁と遊嵌するとともにこの遊嵌状態が解除される位置まで前記情報記録媒体の半径方向に基部が変位する可撓性を有した複数の保持爪と、
前記ディスクトレイの外周部に遊嵌する凹部を有した台紙と、
前記収納部に収まった前記情報記録媒体の縁に指を掛けるべく前記トレイ縁部から外側へ前記ディスクトレイの中央から対称な位置の前記台紙に部分的に形成される一対の切欠部と、
前記トレイ縁部から前記切欠部に向かって延びる固定部と、
前記固定部から突出して前記切欠部の内周面に係合し前記凹部から前記台紙の板厚方向への前記ディスクトレイの浮き上がりを阻止する固定片と、
を備えることを特徴とする図書。
【請求項１７】
前記ディスクケースは、少なくとも表紙として装丁され、前記収納部は、前記表紙の内側に向けて設けられることを特徴とする請求項１６に記載の図書。
【請求項１８】
前記ディスクケースは、少なくとも前記書籍部を構成する頁の１つとして装丁されることを特徴とする請求項１６に記載の図書。
【発明の詳細な説明】
【技術分野】
【０００１】
本発明は、ディスク形状の情報記録媒体を収納し、この情報記録媒体に記録された情報と関連する内容の書籍部とともに装丁可能なディスクケース、及びこのディスクケースが書籍部とともに装丁された図書。
【背景技術】
【０００２】
パーソナルコンピュータのアプリケーションプログラムの解説本にアプリケーションプログラムの機能を一部制限した体験版を付録として添付したり、写真集にその動画を収録したＤＶＤを付録として添付したり、雑誌の付録としてＣＤやＤＶＤを添付したりする場合がある。このような場合、書籍とともに装丁するために、ディスクを収納するケースは、紙材などの装丁しやすい部材で作られる。
【０００３】
例えば、特許文献１に開示されたＣＤ付き本は、保護袋に入れられたＣＤを、このＣＤよりわずかに大きく開けられた円形孔を有する表台紙で、裏台紙との間に挟みこむ。表台紙には、円形孔から直径方向に延びる折曲線とが設けられ、さらに、この折曲線の先端からコの字形にミシン目が設けられている。ＣＤを取り出す際は、ミシン目に沿って開封し、折曲線で表台紙を折り曲げ、保護袋から取り出される。
【０００４】
また、この他にもディスク等の板状記録媒体の大きさに対応して厚紙を刳り貫き、ここに板状記録媒体を入れて表裏面をフィルム状の部材で密封するものや、表紙の内側にＣＤやＤＶＤのディスクを封入した袋状のものを直接貼り付けたりするものがある。
【特許文献１】特開平７−０１０１８０号公報
【発明の開示】
【発明が解決しようとする課題】
【０００５】
ところが、動画を収録したＤＶＤや、特別編集された音楽を収録したＣＤなどの情報記録媒体を販売する場合、たくさんの写真や図柄を掲載するために、装丁される頁数が多く、紙面の大きい書籍とともに販売したいという要望がある。このような場合、情報記録媒体は、収納部から頻繁に出し入れされて、これに関連する書籍といっしょに取り扱われることが想定される。したがって、記録媒体と書籍とをいっしょに保管できることが望ましい。
【０００６】
一つの方法として、特許文献１に記載のような方法で書籍とともに装丁することが考えられる。しかしながら、収納されている情報記録媒体を取り出すためには、これが収納されていた表台紙は、ミシン目に添って切り裂かれることとなる。このとき、ミシン目に沿ってうまく開封されないと、その後の見栄えが悪くなる。また、情報記録媒体を収納部に出し入れする場合、表台紙は、紙面をめくり上げるように折曲げられるので、繰り返し操作されることで、開閉部のしまりが悪くなり、情報記録媒体を好適に収納保管できなくなる可能性がある。
【０００７】
さらに、特許文献１に記載されたように情報記録媒体を収納する場合、ディスクを取り出す際に曲げたり記録面に傷をつけてしまう恐れがある。ディスク自体が歪んだり傷がついたりすると、記録されたデータをうまく読み出せなくなる場合もある。ＣＤに比べて情報密度の高いＤＶＤでは、歪みの影響を受けやすい。また、図書として装丁する場合、情報記録媒体が収納された後、その状態で他の紙片とともに丁合されて製本されることとなる。
【０００８】
したがって、動画を収録したＤＶＤをこれに関する写真集とともに販売するといったような、情報記録媒体を書籍の一部として取り扱う場合、見栄えの良さと保管状況を考慮すると、特許文献１の方法は、好ましい方法ではない。
【０００９】
そこで、本発明は、情報記録媒体にとって好ましい状態で保管することができ、かつこの情報記録媒体をこれと関連する書籍とともに装丁することのできるディスクケースを提供することを目的とする。
【課題を解決するための手段】
【００１０】
本発明に係るディスクケースは、ディスクトレイと保持爪と台紙と切欠部と固定部と固定片とを備える。ディスクトレイは、盆形に形成され、ディスク形状の情報記録媒体が収まる収納部を有している。保持爪は、ディスクトレイのトレイ縁部から中央に向かって突出し、収納部に収まった情報記録媒体の縁と遊嵌する。保持爪は、複数設けられ、遊嵌状態が解除される位置まで情報記録媒体の半径方向に基部が変位する可撓性を有している。台紙は、ディスクトレイの外周部に遊嵌する凹部を有している。切欠部は、収納部に収まった情報記録媒体の縁に指を掛けるべく、ディスクトレイの中央から対称な位置の台紙に一対に、トレイ縁部から外側へ部分的に形成される。固定部は、トレイ縁部から切欠部に向かって延びる。固定片は、固定部から突出して切欠部の内周面に係合し、凹部からディスクトレイが台紙の板厚方向へ浮き上がることを阻止する。
【００１１】
店頭販売中に情報記録媒体が取出されることを防止するために、切欠部にそれぞれ装着されて収納部に収まった情報記録媒体の縁の少なくとも一部を覆う取出し防止部材を備える。取出し防止部材は、枠部と封止版と係止片とを備える。枠部は、固定部と取外し可能に嵌合する。封止板は、枠部の開口部を遮る。係止片は、収納部に収まった情報記録媒体に沿って枠部から延出し、情報記録媒体が収納部から持ち上がる取出方向の動きを阻止する。開封操作を円滑に行えるように、取出し防止部材を取除く開封操作中に摘まれる摘み部を取出し防止部材の一部に備える。
【００１２】
また、封止板は、２か所の傾転部で枠部の内周面に支持する。封止板の外周は、傾転部以外の少なくとも１か所の封印部で枠部と連結し、開封操作によって封印部を破断する。摘み部は、傾転部を結ぶ揺動軸線を境に封止板の一方に設ける。この摘み部は、封止板の他方を台紙の板厚方向へ押し込むことで枠部から突出する。この場合、封止板は、摘み部から揺動軸線に近づくにつれて板厚が徐々に薄く形成されていることで、柔軟性と可撓性を兼ね備える。
【００１３】
収納部に収められた情報記録媒体を店頭販売中に取出されることを防止するために、取出し防止部材を備えても良い。この場合、取出し防止部材は、枠部と封止版と密閉プレートとを有する。枠部は、一対に設けられ、それぞれの切欠部に各々装着されて固定部と取外し可能に嵌合する。封止板は、枠部の開口部を遮る密閉プレートは、枠部を連結して収納部に情報記録媒体が収まった状態で収納部全体を覆う。
【００１４】
情報記録媒体を確実に収納部に保持するために、保持爪は、切欠部の近傍のそれぞれ両側に少なくとも１つずつ設ける。また、収納された状態の情報記録媒体の取出しを防止するために、情報記録媒体は、中央部に設けられたセンターホールにこれを塞ぐ封孔片を装着した状態で、収納部に納める。記録部に傷がつくことを防止するために、記録部を収納部から浮かせた状態に支持する段差部をトレイ縁部に沿って設ける。
【００１５】
情報記録媒体が収納部に収まっていることを情報記録媒体が納められた側と反対側からも確認できるように、ディスクトレイを透明な合成樹脂で形成し、ディスクトレイの外径よりも小さく台紙を板厚方向に貫通する窓を凹部の底に備える。台紙に対するディスクトレイの保持状態をよくするために、固定部を切欠部の内周面に沿って形成し、固定片を固定部の外周に少なくとも１つ設ける。取出し防止部材を取り付ける場合は、固定部の内側に取外し可能に嵌合させて切欠部を覆うとともに、収納部に収まった情報記録媒体の縁の少なくとも一部を覆う。
【００１６】
本発明に係る図書は、少なくとも上述したディスクケースと、このディスクケースに収められる情報記録媒体に記録された情報と関連する内容が記載された書籍部とが一体に装丁される。この場合、ディスクケースは、少なくとも表紙として装丁し、収納部を表紙の内側に向けて設ける。または、ディスクケースは、少なくとも書籍部を構成する１頁として装丁する。
【発明の効果】
【００１７】
本発明に係るディスクケースによれば、ディスクトレイは、固定部で台紙に支持されており、ディスクトレイの外周部は、凹部に対して遊嵌された状態である。さらに、ディスクトレイは、情報記録媒体を遊嵌している。したがって、情報記録媒体は、収納部に保管された状態で、ディスクトレイから拘束力を受けることがない。また、湿度の変化などによって台紙に反りが生じたり、ディスクケース全体が外力によって撓んだりしても、ディスクトレイの外周が台紙の凹部と接していないので、反りや撓みが情報記録媒体に及ぶことがない。さらに、台紙を有しているので、図書として装丁することが容易である。
【００１８】
また、取外し防止部材を備えるディスクケースによれば、切欠部に取外し防止部材が装着されて情報記録媒体の縁の一部を覆うので、情報記録媒体の縁に指を掛けることができなくなる。したがって、情報記録媒体が取外されることを防止することができる。取出し防止部材は、切欠部に装着されており、開封操作を行うことで周囲を破損させることなく除去することができる。情報記録媒体を取り出すために開封し後も、収納部の周囲の美観を損なうことがなく、見栄えの良いディスクケースを提供できる。さらに、図書の一部としてディスクケースを装丁する場合、台紙を書籍部とともに先に製本し、ディスクトレイを後から装着することができる。そして、情報記録媒体を収納した後、取り出し防止部材を取り付けることで封印することができる。
【００１９】
本発明に係る図書は、ディスクケースを備える。このディスクケースは、固定部が切欠部の内周面に支持されており、台紙に対してディスクトレイの外周部が遊嵌された状態である。また、情報記録媒体は、ディスクトレイの保持爪に遊嵌された状態で収納される。したがって、湿度の変化などによって台紙に反りや収縮が生じたり、図書に外力が加わることで台紙に撓みが生じたりしても、収納部に保管される情報記録媒体に歪みが生じることを防止することができる。このため、情報記録媒体に好ましい保管環境で、この情報記録媒体に記録された情報と関連する内容が記載された書籍部とを一体に保存することができる。また、台紙を書籍部とともに先に製本し、後からディスクトレイを装着して情報記録媒体を収納することができるため、製本に特別な技術を必要としないだけでなく、情報記録媒体を取り扱う品質面でも好ましい。
【発明を実施するための最良の形態】
【００２０】
本発明に係る第１の実施形態のディスクケース１０について、このディスクケース１０がその一部として装丁された図書１００を例に、図１から図１２を参照して説明する。図１に示す図書１００は、上製本であって、表紙１０１としてディスクケース１０を備え、丁合された書籍部１２０と一体に装丁されている。ディスクケース１０は、収納部１１を有し、ディスク形状の情報記録媒体であるコンパクトディスク（ＣＤ）、ＣＤシングル、またはデジタルビデオディスク（ＤＶＤ）といったディスク２００が収まる。
【００２１】
ディスクケース１０の収納部１１は、表紙１０１の内側１０１ａ、いわゆる「表２」または「表３」に相当する見返しの紙面側に向けて設けられている。図書１００の主要部である書籍部１２０には、ディスク２００に記録された情報と関連する内容の文章や図柄などの装飾が印刷される。
【００２２】
ディスクケース１０は、図２に示すように、ディスクトレイ１と保持爪１２と台紙２と切欠部２１と固定部１３と固定片１４と取出し防止ピース３を備える。ディスクトレイ１は、ＣＤやＤＶＤなどのディスク２００の外形に合せて形成された収納部１１を有した円いの盆形に射出成形された合成樹脂製である。ディスクトレイ１の底部１５は、トレイ縁部１６に沿って段差部１７が設けられている。この段差部１７は、ディスク２００の記録部２０１よりも外側の位置でディスク２００と接触し、この記録部２０１を収納部１１から浮かせた状態にする。
【００２３】
ディスクトレイ１は、台紙２に設けられた凹部２２に嵌め込まれる。この場合、台紙２は、表紙１０１として十分な大きさと、ディスクトレイ１を嵌め込む十分な厚みを有しており、芯紙を構成する。凹部２２は、ディスクトレイ１の外周部１ａに対して遊嵌する大きさに形成される。
【００２４】
台紙２は、図１に示したように「表２」となる見返し用紙１０２と外装紙１０３に覆われる。凹部２２の底２２ａは、厚手の外装紙１０３によって形成されても良い。ディスクトレイ１は、周囲の基調となる色に合せて着色されても良いが、無色透明にすることで、底２２ａに図柄を直接印刷したり底２２ａとの間に図柄を印刷したものを挟んだりして装飾を施すことや、台紙２に開口窓を設けて反対側からディスク２００が見えるようにすることができるようになる。
【００２５】
切欠部２１は、ディスクトレイ１の中央から対称となる位置に一対に配置され、トレイ縁部１６から外側へ台紙２を切欠いて形成される。切欠部２１は、収納部１１に収められたディスク２００を取り出すために指をディスク２００の縁２０２に掛けるべく設けられるものである。切欠部２１には、ディスク２００を容易に取り出せなくするための取出し防止ピース３が図２や図５に示すように装着される。
【００２６】
保持爪１２は、ディスクトレイ１のトレイ縁部１６から中央に向かって突出しており、切欠部２１の両側にそれぞれ１つずつ、全部で４つが配置されている。保持爪１２は、図３及び図４に示すように、収納されたディスク２００の縁２０２と遊嵌する。保持爪１２は、基部１２ａに可撓性を有しており、収納されたディスク２００の縁２０２との遊嵌状態が解除される位置までディスク２００の半径方向に変位する。
【００２７】
固定部１３は、図５、図６に示すように、凹部２２から切欠部２１へつながる台紙２の角部２３を回りこむように、トレイ縁部１６から切欠部２１に向かって延びている。固定片１４は、図８に示すように、かえし状に形成され、固定部１３から突出して切欠部２１の内周面２１ａに係合しており、ディスクトレイ１が凹部２２から台紙２の板厚方向に浮き上がることを阻止している。
【００２８】
取出し防止ピース３は、取出し防止部材の一例であって、ディスクトレイ１を台紙２の凹部２２に固定片１４で保持し、さらにディスク２００が収納された後、切欠部２１に装着される。取出し防止ピース３は、切欠部２１に装着されることによって、収納されたディスク２００の縁２０２の少なくとも一部を覆う。ディスク２００の縁２０２に指を掛けられなくすることで、ディスク２００を容易に取り出せなくしている。取出し防止ピース３は、図９から図１２に示す一連の開封操作によって切欠部２１から取除かれる。
【００２９】
取出し防止ピース３は、枠部３１と封止板３２と係止片３３とを備える。枠部３１は、切欠部２１と固定部１３の内側に沿う形に形成されている。固定部１３と対向する部位には、ディスク２００の円周方向に沿う方向に突出する嵌合凸部３４を有している。この嵌合凸部３４は、固定部１３に設けられた嵌合凹部１３ａに対して取外し可能に嵌合する。これにより、取出し防止ピース３は、取出方向Ｒの動きが規制される。なお、嵌合凸部と嵌合凹部とは、互いに凹凸が逆の関係に形成されていても良い。
【００３０】
封止板３２は、図７に示すように表紙１０１の内側１０１ａの紙面寄りに配置され、枠部３１の開口３５を遮る。封止板３２は、ディスク２００の縁２０２に沿う方向の２箇所に設けられている傾転部３６によって、枠部３１の内周面３１ａに支持されている。２つの傾転部３６を結ぶ揺動軸線Ｔを境にディスク２００側には、摘み部３７が設けられている。封止板３２の外周において、揺動軸線Ｔに対して摘み部３７と反対側の端部３２ａは、開封操作されることで破断される封印部３８によって、枠部３１と接続されている。また、封止板３２は、摘み部３７から揺動軸線Ｔに近づくにつれて板厚が徐々に薄く形成されている。
【００３１】
取出し防止ピース３を形成する材料は、開封操作によって傾転部３６が捻じ切れたり封止板３２に亀裂が走ったりしない程度に柔軟性及び靱性を有し、かつ、摘み部３７を摘んで引き抜かなければ取除けない程度に固定部１３との嵌合に剛性を有していることが好ましい。具体的には、ポリプロピレン、ポリスチレンにゴム製の樹脂を混合させたもの、ポリエチレン、ポリ塩化ビニル、塩化ビニル酢酸ビニル共重合体、ポリメチルメタアクリルレート、ポリメチルスチロール、ポリウレタン、ポリカーボネート、ポリオキシメチレンなどを使用することができる。
【００３２】
また、取出し防止ピース３は、射出成形で一体に成形することで安価に作ることができる。そして、射出成形されることによって、精度良く作られるので、切欠部２１及び固定部１３に対する装着性が良い。また、切欠部２１は、ディスク２００の直径の両端に設けられており、取出し防止ピース３は、この切欠部２１に装着されるので、収納部１１からディスク２００が抜き取られることを効果的に防止することができる。したがって、図書１００は、書籍部１２０を閲覧できるように店頭に並べることができる。
【００３３】
なお、ディスク２００の中央には、センターホール２０３が設けられている。取出し防止ピース３を開封して、ディスク２００を一旦、収納部１１から取り出すまで、このセンターホール２０３に指を掛けられないように、センターホール２０３を塞ぐようにディスクトレイ１側から遊嵌するハット形の封孔片を装着すると良い。
【００３４】
次に、ディスクケース１０の開封操作について、図９から図１２を参照して説明する。図９に示す状態では、切欠部２１は、取出し防止ピース３で完全に覆われている。この状態では、ディスク２００の縁２０２に指を掛けることができない。開封操作は、図１０に示すように揺動軸線Ｔに対してディスク２００から遠い側の封止板３２の端部３２ａを図１０の矢印で示すように表紙１０１の板厚方向に押し込む。これにより、封印部３８が破断され、傾転部３６を支点に封止板３２が傾倒して摘み部３７が枠部３１から持ち上がる。この摘み部３７を指でさらに図１１に示すように立て起こす。そして、摘み部３７を図１２に示すように摘んで取出し防止ピース３を切欠部２１から引き抜く。この一連の開封操作は、片手で容易に行うことができる。
【００３５】
このように、図１０から図１２に示した開封操作を２つ設けられた取出し防止ピース３のそれぞれについて行うことで、ディスク２００を収納部１１から取り出すことができるようになる。ディスク２００は、切欠部２１から縁２０２に指を掛けて半径方向に内側に向かって付勢することで、指を入れた側と反対側の切欠部２１の両側の保持爪１２の基部１２ａが撓み、指を入れた切欠部２１の両側の保持爪１２の遊嵌が解除される。また、ディスク２００を収納する際は、上記操作によって戻すか、板厚方向にディスク２００をディスクトレイ１に押し当てる。ディスク２００を押し当てると、各保持爪１２が撓んで半径方向外側に逃げるので、ディスク２００は、収納部１１に収まる。
【００３６】
取出し防止ピース３は、一度開封されると、封印部３８が破断されるので、未開封のものかどうか、区別が一目瞭然である。さらに、取出し防止ピース３は、開封操作によって、ディスクケース１０に残渣物を残さない。また、取出し防止ピース３は、固定部１３に嵌合しており、台紙２と係合していないため、引き抜かれたことによって周囲を破損することがない。切欠部２１は、ディスク２００に指を掛けるために設けられたものであるので、ディスクケース１０の外観的にも違和感はなく、見栄えも良い。
【００３７】
また、ディスクケース１０は、台紙２及びディスク２００に対して遊嵌しており、固定部１３によって台紙２に支持されている。したがって、このディスクケース１０を備える図書１００は、ディスク２００に歪みを生じさせることなく、ディスク２００を関連する書籍と最も好ましい形で保存することができる。
【００３８】
本発明に係る第２の実施形態のディスクケース１０及び、そのディスクケース１０を備える図書１００について、図１３を参照して説明する。なお、第１の実施形態のディスクケース１０及び図書１００と同じ機能を有する構成については、同一の符号を付してその説明を省略する。
【００３９】
図１３に示す図書１００は、表紙１０１及び書籍部１２０の紙片１２１の１つとして、ディスクケース１０が書籍部１２０とともに装丁されている。表紙１０１の収納部１１は、見返し用紙１０２に面して２つ設けられている。また、書籍部１２０の途中のディスクケース１０にも、収納部１１が同じ頁に面して２つ設けられている。なお、書籍部１２０の途中のディスクケース１０は、複数紙片分あっても良いし、収納部１１が１つの紙片１２１の偶数頁側１２１ａと奇数頁側１２１ｂとのそれぞれに設けられていても良い。
【００４０】
表紙１０１として設けられたディスクケース１０は、図１３に示すようにディスクトレイ１が無色透明の合成樹脂材料でできており、凹部２２の底２２ａにディスクトレイ１の外形よりも小さく台紙２を板厚方向に貫通する窓２４を備えている。したがって、この図書１００は、いわゆる「表１」「表４」からディスク２００が収納されている状態が見える。なお、本実施形態において窓２４の形状は、略半円形状であるが、表紙１０１の外装紙１０３のデザインによって任意の形、例えば、三角形、四角形、星形などの幾何学模様のほか、ロゴや何かを模した形などに形成されていても良い。
【００４１】
この図書１００が店頭で販売されている状態では、ディスクケース１０の全ての収納部１１は、取出し防止パネル３ａが装着されている。この取出し防止パネル３ａは、取出し防止部材の一例であって、収納部１１全面を完全に覆っている。取出し防止パネル３ａが装着されることによって、収納されているディスク２００に触れることを完全に防止するとともに、埃などが収納部１１に進入することも防止できる。
【００４２】
取出し防止パネル３ａは、第１の実施形態において一対に装着された取出し防止ピース３の係止片３３がディスクトレイ１全面を覆う形に一続きに連結して設けられたものに相当する。したがって、この取出し防止パネル３ａは、一対の枠部３１と、この枠部３１それぞれに設けられる封止板３２と、収納部１１全体を覆う密閉プレート３９とで構成されている。
【００４３】
枠部３１は、一対に設けられた切欠部２１にそれぞれ装着される。封止板３２は、第１の実施形態と同様に枠部３１と一体に射出成形されている。密閉プレート３９は、２つの枠部３１のディスク２００側縁を一続きに連結している。密閉プレート３９は、枠部３１及び封止板３２とともに一体に射出成形されていても良いし、第１の実施形態の取出し防止ピース３の係止片３３にシートを貼り付けるようにして設けられるものであっても良い。密閉プレート３９の外周縁３９ａは、トレイ縁部１６と密着シールされても良いし、トレイ縁部１６と数か所で係止されるものであっても良い。
【００４４】
図１３において、図書１００の「表２」または「表３」に相当する見返しに設けられた収納部１１のうち、上側の収納部１１は、取出し防止パネル３ａが装着された状態を示し、下側の収納部１１は、開封操作によって取出し防止パネル３ａが取外され、収納されていたディスク２００も取り出された状態を示している。取出し防止パネル３ａを開封する場合、封止板３２の少なくとも一方について、図１０から図１２に示す一連の開封操作をすれば、図１３に示したように外すことができる。
【００４５】
取出し防止パネル３ａを装着することによって、収納されたディスク２００全体が覆われる。そこで、実施形態の表紙１０１として設けられたディスクケース１０のように、収納部１１の反対側からディスク２００が見える場合、ディスク２００は、記録部２０１と反対側の装飾面を図書１００の表から見えるように収納部１１に装着することもできる。
【００４６】
なお、図１３において、書籍部１２０の途中に紙片１２１の１つとして装丁されたディスクケース１０の収納部１１は、既に開封された状態であって、表紙１０１に取り付けられた取出し防止パネル３ａと同様の取出し防止パネル３ａがそれぞれに取り付けられる。
【００４７】
本発明に係る第３の実施形態のディスクケース１０ａについて、図１４を参照して説明する。この実施形態のディスクケース１０ａと第１及び第２の実施形態のディスクケース１０との異なる点は、ディスクトレイ１から切欠部２１に延びる固定部１３の形状、及びこの固定部１３に装着される取出し防止部材の枠部３１の形状である。本実施形態では、取出し防止部材として取出し防止ピース３ｂを例に説明する。その他の部分は、第１及び第２の実施形態のディスクケース１０と同じであるので、説明を省略する。
【００４８】
この固定部１３は、切欠部２１の内周面２１ａに沿って設けられており、固定片１４は、固定部１３の外周に少なくとも１つ設けられる。本実施形態では、固定片１４は、台紙２の凹部２２から切欠部２１にかけての角部２３の切欠部２１の内周面２１ａと向き合う２か所、及び、ディスクトレイ１の中央から最も離れた固定部１３の突端１３ｂの合計３か所に設けられている。
【００４９】
取出し防止ピース３ｂは、固定部１３の内側に取外し可能に嵌合して切欠部２１を覆う。枠部３１の外側下縁に嵌合凸部３４が設けられており、これと対応する位置となる固定部１３の内側に嵌合凹部１３ａが設けられている。
【００５０】
以上のように設けられることによって、ディスクトレイ１がしっかりと台紙２に固定される。また、固定部１３に外周が囲われた状態に装着されるので、取出し防止ピース３ｂを確実に装着することができる。
【００５１】
なお、摘み部３７は、当該部を摘んで取出し防止部材を切欠部２１から取外せるものであれば良いので、上述の実施形態で示したような傾転部３６を結ぶ揺動軸線Ｔを軸に傾倒する封止板３２以外の形態であっても良い。例えば、枠部３１に沿ってリングが設けられており、このリングに指を掛けて取出し防止部材を抜き取る形態でも良い。
【００５２】
また、上述の実施形態の図書１００の具体的な例として、以下のような書籍部１２０とディスク２００とを組合せた図書が考えられる。例えば、写真集とその動画を収録したディスク、映画化された小説とその映画のＤＶＤ、映画の名場面や収録模様などの写真集とその映画のＤＶＤ、童話などの絵本とその朗読のＣＤ、某歌手の写真集及び記念アルバムのＣＤ、辞典とそのデータや画像データを収録したＣＤやＤＶＤ、取扱いマニュアルや手本書と図解したデータや動画データを収録したディスク、パーソナルコンピュータのアプリケーションプログラムの解説とそのアプリケーションプログラムのフルデータを収録したディスクを収めた本、などの他、個人の写真と動画データを収録したディスクを収めるためのアルバム、文集及び写真と記録映像を納めたＤＶＤを入れた卒業記念アルバムなどにも応用することが可能である。
【産業上の利用可能性】
【００５３】
本発明は、ＣＤやＤＶＤなどの円形の情報記録媒体を収納するディスクトレイを備えるディスクケースに限らず、記憶素子を内蔵する四角形のメモリーカードを収納する情報記録媒体収納ケースとしても利用できる。この場合、収納部の形状は、情報記録媒体の外形に合せた形状とし、切欠部を対角の位置もしくは対辺に一対に設ける。また、保持爪は、情報記録媒体を遊嵌する状態に配置する。さらに、取出し防止ピースや取出し防止パネルなどの取出し防止部材を設けることで、書籍部と有した図書の一部としてこの情報記録媒体収納ケースを装丁し、書籍部を有した店頭に並べた場合にも
【図面の簡単な説明】
【００５４】
【図１】本発明に係る第１の実施形態のディスクケースを備える図書を示す斜視図。
【図２】図１に示した図書のディスクケース部分の分解斜視図。。
【図３】図２に示したディスクケースの保持爪を拡大した斜視図。
【図４】図３中に示したＦ４−Ｆ４線に沿う断面図。
【図５】図２に示したディスクケースの固定部と取出し防止ピースの分解斜視図。
【図６】図１に示した取出し防止ピースが装着された状態の切欠部の平面図。
【図７】図６に示したＦ７−Ｆ７線に沿う取出し防止ピースと切欠部の断面図。
【図８】図６に示したＦ８−Ｆ８線に沿う固定部と取出し防止ピースの嵌合部の断面図。
【図９】図１に示した取出し防止ピース及びその周辺を示す斜視図。
【図１０】図９に示した状態の取出し防止ピースを開封操作によって封止板の端部を押し込んだ状態の斜視図。
【図１１】図１０に示した状態の取出し防止ピースからさらに摘み部を立て起こした状態の斜視図。
【図１２】図１１に示した状態において立て起した摘み部を摘んで取出し防止ピースを切欠部から取外した状態の斜視図。
【図１３】本発明に係る第２の実施形態の図書を示す斜視図。
【図１４】本発明に係る第３の実施形態のディスクケースの固定部周辺と取出し防止ピースの分解斜視図。
【符号の説明】
【００５５】
１…ディスクトレイ、２…台紙、３，３ｂ…取出し防止ピース（取出し防止部材）、３ａ…取出し防止パネル（取出し防止部材）、１０…ディスクケース、１１…収納部、１２…保持爪、１２ａ…基部、１３…固定部、１４…固定片、１６…トレイ縁部、１７…段差部、２１…切欠部、２１ａ…内周面、２２…凹部、２２ａ…底、２４…窓、３１…枠部、３２…封止板、３３…係止片、３５…開口、３６…傾転部、３７…摘み部、３８…封印部、３９密閉プレート、１００…図書、１０１…表紙、１０１ａ…内側、１２０…書籍部、１２１…紙片、２００…ディスク、２０１…記録部、２０２…縁、２０３…センターホール、Ｒ…取出方向、Ｔ…揺動軸線。
【図１】
2006069600.tif 000003
【図２】
2006069600.tif 000004
【図３】
2006069600.tif 000005
【図４】
2006069600.tif 000006
【図５】
2006069600.tif 000007
【図６】
2006069600.tif 000008
【図７】
2006069600.tif 000009
【図８】
2006069600.tif 000010
【図９】
2006069600.tif 000011
【図１０】
2006069600.tif 000012
【図１１】
2006069600.tif 000013
【図１２】
2006069600.tif 000014
【図１３】
2006069600.tif 000015
【図１４】
2006069600.tif 000016